(57)【要約】      （修正有）【課題】短期間かつ低コストで導入できる、タブレット等のユーザ端末に入力されたユーザ情報をホスト装置に自動入力できる情報処理装置、情報処理方法及びプログラムを提供する。【解決手段】情報処理装置１００は、ユーザが情報を入力できるユーザ端末５００と、ホスト装置１と通信可能な管理端末２００と、前記ユーザ端末５００で入力されたユーザ入力情報をキーボード入力情報に変換し、前記キーボード入力情報を前記管理端末２００に入力する入力端末６００と、を有する。【選択図】図１
2019204308.tif 000002
【特許請求の範囲】
【請求項１】
ユーザが情報を入力可能なユーザ端末と、
ホスト装置と通信可能な管理端末と、
前記ユーザ端末で入力されたユーザ入力情報をキーボード入力情報に変換し、前記キーボード入力情報を前記管理端末に入力する入力端末と、
を備える情報処理装置。
【請求項２】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換される請求項１に記載の情報処理装置。
【請求項３】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力される請求項１又は２のいずれかに記載の情報処理装置。
【請求項４】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力され、前記管理端末に前記キーボード入力情報が入力されると前記管理端末が前記ホスト端末に前記キーボード入力情報を自動で入力する請求項１乃至３のいずれか１項に記載の情報処理装置。
【請求項５】
前記入力端末は、前記ユーザ端末で入力された前記ユーザ入力情報を第一入力情報に変換し、前記第一入力情報を用いてキーボード入力情報を生成する請求項１乃至４のいずれか１項に記載の情報処理装置。
【請求項６】
前記入力端末は、前記ユーザ端末で入力された前記ユーザ入力情報を第一入力情報に変換し、前記第一入力情報を第二入力情報に変換し、前記第二入力情報を用いてキーボード入力情報を生成する請求項１乃至４のいずれか１項に記載の情報処理装置。
【請求項７】
前記第一入力情報はＳ−ＪＩＳからなり、
前記第二入力情報はＡＳＣＩＩからなる請求項６に記載の情報処理装置。
【請求項８】
前記入力端末は、前記ユーザ端末で入力された書面に関する書面情報と、前記書面の記入欄に対応している入力領域におけるユーザ入力情報とから、前記キーボード入力情報を生成する請求項１乃至７のいずれか１項に記載の情報処理装置。
【請求項９】
ユーザ端末で入力されたユーザ入力情報を受け付け、当該ユーザ入力情報をキーボード入力情報に変換し、前記キーボード入力情報をホスト装置と通信可能な管理端末に入力する入力端末を備える情報処理装置。
【請求項１０】
ユーザ端末に入力されたユーザ入力情報を入力端末に入力する工程と、
前記入力端末が、前記ユーザ入力情報をキーボード入力情報に変換し、前記キーボード入力情報をホスト装置と通信可能な管理端末に入力する工程と、
を備える情報処理方法。
【請求項１１】
入力端末にインストールするためのプログラムであって、
前記プログラムがインストールされた入力端末を、
ユーザ端末で入力されたユーザ入力情報を受け付け、当該ユーザ入力情報をキーボード入力情報に変換し、前記キーボード入力情報をホスト装置と通信可能な管理端末に入力するように機能させるプログラム。
【発明の詳細な説明】
【技術分野】
【０００１】
本発明は、ユーザ端末で入力された情報をホスト装置に入力するための情報処理装置、情報処理方法及びプログラムに関する。
【背景技術】
【０００２】
金融機関等では、請求書、領収書、住所変更届、普通預金での支払い等の様々な処理を行うために帳票等の書面を顧客であるユーザが記入して窓口にいるテラーに提出する実務が行われている（特許文献１参照）。このように記入した書面を受け取ったテラーは基幹システムに繋がった管理端末を介して当該書面に記入された情報を手入力している。
【０００３】
近年、ペーパーレスへのニーズが高まっており、帳票等の書面を準備する代わりにタブレット等の携帯端末装置を利用して金融機関等において業務を行うことが考えられている。このように携帯端末装置を利用した場合には、帳票等の書面へユーザが記入する代わりにタブレット等の携帯端末装置にユーザが情報を入力することとなる。
【０００４】
基幹システム等のホスト装置への影響を鑑みると、このような携帯端末装置を何ら検証することなく基幹システム等のホスト装置に繋ぐことは事実上できない。つまり、基幹システム等のホスト装置で不具合が発生した場合には多大なる損害が発生することになる。このため、ホスト装置に新たな端末を接続する場合には、当該端末による影響を検証するために長期間の検証と高額な費用が必要となる。特に金融機関の基幹システムでは預金情報等の金銭に関する情報が取り扱われていることから、端末を新たに接続する場合には、検証のために、１年半以上の期間と数十億単位の費用が必要となることがある。
【先行技術文献】
【特許文献】
【０００５】
【特許文献１】特開２０１８−５５５８５号公報
【発明の概要】
【発明が解決しようとする課題】
【０００６】
本発明は、短期間かつ低コストで導入できる、タブレット等のユーザ端末に入力されたユーザ情報をホスト装置に自動入力できる情報処理装置、情報処理方法及びプログラムを提供する。
【課題を解決するための手段】
【０００７】
本発明による情報処理装置は、
ユーザが情報を入力可能なユーザ端末と、
ホスト装置と通信可能な管理端末と、
前記ユーザ端末で入力されたユーザ入力情報をキーボード入力情報に変換し、前記キーボード入力情報を前記管理端末に入力する入力端末と、
を備えてもよい。
【０００８】
本発明による情報処理装置において、
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換されてもよい。
【０００９】
本発明による情報処理装置において、
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力されてもよい。
【００１０】
本発明による情報処理装置において、
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力され、前記管理端末に前記キーボード入力情報が入力されると前記管理端末が前記ホスト端末に前記キーボード入力情報を自動で入力してもよい。
【００１１】
本発明による情報処理装置において、
前記入力端末は、前記ユーザ端末で入力された前記ユーザ入力情報を第一入力情報に変換し、前記第一入力情報を用いてキーボード入力情報を生成してもよい。
【００１２】
本発明による情報処理装置において、
前記入力端末は、前記ユーザ端末で入力された前記ユーザ入力情報を第一入力情報に変換し、前記第一入力情報を第二入力情報に変換し、前記第二入力情報を用いてキーボード入力情報を生成してもよい。
【００１３】
本発明による情報処理装置において、
前記第一入力情報はＳ−ＪＩＳからなり、
前記第二入力情報はＡＳＣＩＩからなってもよい。
【００１４】
本発明による情報処理装置において、
前記入力端末は、前記ユーザ端末で入力された書面に関する書面情報と、前記書面の記入欄に対応している入力領域におけるユーザ入力情報とから、前記キーボード入力情報を生成してもよい。
【００１５】
本発明による情報処理装置は、
ユーザ端末で入力されたユーザ入力情報を受け付け、当該ユーザ入力情報をキーボード入力情報に変換し、前記キーボード入力情報をホスト装置と通信可能な管理端末に入力する入力端末を備えてもよい。
【００１６】
本発明による情報処理方法は、
ユーザ端末に入力されたユーザ入力情報を入力端末に入力する工程と、
前記入力端末が、前記ユーザ入力情報をキーボード入力情報に変換し、前記キーボード入力情報をホスト装置と通信可能な管理端末に入力する工程と、
を備えてもよい。
【００１７】
本発明によるプログラムは、
入力端末にインストールするためのプログラムであって、
前記プログラムがインストールされた入力端末を、
ユーザ端末で入力されたユーザ入力情報を受け付け、当該ユーザ入力情報をキーボード入力情報に変換し、前記キーボード入力情報をホスト装置と通信可能な管理端末に入力するように機能させてもよい。
【発明の効果】
【００１８】
本発明において、ユーザが情報を入力できるユーザ端末で入力されたユーザ入力情報をキーボード入力情報に変換し、キーボード入力情報をホスト装置と通信可能な管理端末に入力する態様を採用した場合には、短期間かつ低コストでユーザ端末に入力されたユーザ情報をホスト装置に自動入力できる情報処理装置等を提供できる。
【図面の簡単な説明】
【００１９】
【図１】図１は、本発明の実施の形態による情報処理装置の構成を示す概要図である。
【図２】図２は、本発明の実施の形態で用いられうるユーザ端末の表示画面の一例を示した図である。
【図３】図３は、図２に示す表示画面から遷移した表示画面の一例を示した図である。
【図４】図４（ａ）は、本発明の実施の形態で用いられうる領域指定データを示した図であり、図４（ｂ）は、図４（ａ）で示された領域指定データに紐づけられたデータファイルを示した図である。
【図５】図５は、本発明の実施の形態において、帳票の画像データに入力情報画像データを重ね合わせて統合画像データを生成する態様を示した図である。
【図６】図６は、本発明の実施の形態で採用されうる入力端末における処理態様の一例を示した図である。
【図７】図７は、本発明の実施の形態で採用されうる入力端末における処理態様の一例をより具体化して示した図である。
【図８】図８は、本発明の実施の形態で採用されうる入力端末における処理態様の一例をより具体化したものを、図７とは異なる観点から示した図である。
【図９】図９は、本発明の実施の形態の変形例による情報処理装置の構成を示す概要図である。
【発明を実施するための形態】
【００２０】
実施の形態
《構成及び方法》
以下、本発明に係る情報処理装置及び情報処理方法の実施の形態について説明する。本実施の形態では、パソコン等のコンピュータにインストールされることで、当該コンピュータによって本実施の形態の情報処理方法を実行できるようにするプログラム及び当該プログラムを記録した記録媒体も提供される。
【００２１】
本実施の形態では情報処理装置１００が金融機関に設置されている態様を用いて説明するが、これに限られることはなく、情報処理装置１００は外部機関に設置されてもよい。金融機関が情報処理装置１００を所有及び／又は管理してもよい。本実施の形態の情報処理装置１００は、一つの装置から構成されてもよいし複数の装置から構成されてもよい。また、複数の装置から情報処理装置１００が構成される場合には、各装置が同じ部屋等の同じ空間に設けられる必要はなく、異なる部屋、異なる場所、異なる建物、異なる地域等に設けられてもよい。また、複数の装置から情報処理装置１００が構成される場合には、その一部を金融機関が所有及び／又は管理し、残りを外部機関が所有及び／又は管理してもよい。また、情報処理装置１００の一部と情報処理装置１００の残部が互いに遠隔地に配置されてもよい。
【００２２】
本実施の形態の情報処理装置１００は、例えばプログラムをインストールすることで生成される。このプログラムは電子メールで配信されてもよいし、所定のＵＲＬにアクセスしたうえでログインすることで入手できてもよいし、記録媒体に記録されてもよい。本実施の形態によるプログラムは以下に示す情報処理装置１００を生成するために利用され、本実施の形態による記録媒体は当該プログラムを記録するために利用される。また、本実施の形態の情報処理方法は上記プログラムがインストールされた情報処理装置１００によって実施される。
【００２３】
図１に示すように、情報処理装置１００は、顧客等のユーザが情報を入力できるユーザ端末５００と、ホスト装置１と通信可能な管理端末２００と、ユーザ端末５００で入力されたユーザ入力情報をキーボード入力情報に変換し、キーボード信号等であるキーボード入力情報を管理端末２００に入力する入力端末６００と、を有してもよい。管理端末２００は入力端末６００をキーボード端末として認識してもよい。この場合には、入力端末６００から管理端末２００に対しては基本的にキーボード入力情報だけが入力される。このため、入力端末６００は、ユーザ端末５００から入力され得る一定の情報を遮断する一種のフィルタリング機能を発揮することになる。また、管理端末２００から入力端末６００に対して基本的にデータは送られず、入力端末６００から管理端末２００に対してキーボード入力情報だけが入力されることになる。入力端末６００は仮想キーボードであり、キーボードエミュレータであってもよい。なお、キーボード入力情報を用いて管理端末２００に文字情報だけを入力できるようになってもよいが、これに限られることはなく、管理端末２００に画像情報や音声情報を入力できるようになってもよい。
【００２４】
ホスト装置１は例えば金融機関等における基幹システムである。管理端末２００は例えば基幹システムと通信可能なパソコンである。ユーザ端末５００は、情報を表示するためのユーザ表示部５３０と、情報を入力するためのユーザ操作部５１０と、を有してもよい。ユーザ端末５００は例えばタブレット等の携帯端末からなってもよい。この場合には、ユーザ端末５００は、ユーザ表示部５３０とユーザ操作部５１０とが一体となり、タッチパネル等からなるユーザ表示操作部５５０を有してもよい。ユーザ表示部５３０は例えば帳票の画像データを表示可能となり、ユーザ操作部５１０は帳票の記入欄に対応する入力領域３１０（図４参照）にユーザ入力情報を入力可能となってもよい。本実施の形態では、以下、ユーザ端末５００がタッチパネルから構成される態様を用いて説明する。但し、これに限られることはなく、ユーザ表示部５３０とユーザ操作部５１０とが別体になり、例えばパソコンのキーボード及びマウスがユーザ操作部５１０となり、パソコンの画面がユーザ表示部５３０となってもよい。
【００２５】
ユーザ表示操作部５５０では、一例として図２に示すような画面が表示される。顧客が「各種お届け」をタップして選択すると、図３のような画面が表示される。図３では、一例として「紛失・盗難（通帳・カード）」、「改印、名義変更」、「住所変更」、「口座振替」、「キャッシュカード切替」が表示され、これらが選択できるようになっている。但し、これらはあくまでも一例であり、その他の選択肢が表示されるようになってもよい。
【００２６】
ユーザ表示操作部５５０では、選択された帳票等の書面に対する画像データが表示されてもよい。顧客等のユーザが、画像データに対してタッチペン等によって文字を書き込むことで、文字情報が入力されてもよい。また、画像データに対してタッチペン等によって文字を書き込むことでその文字の認識が行われて、書き込まれた文字が認識された文字に変換されて表示されてもよい。
【００２７】
帳票等の書面の記入欄に対応した入力領域３１０が順次指定されていき、指定された入力領域３１０に対してキーボードで入力を行ったり、画面に表示されるフリックによって入力を行ったりするようにしてもよい。指定された入力領域３１０に対して音声で入力するようにしてもよい。また、情報の入力を行う入力領域３１０をユーザが指定し、指定された入力領域３１０に対して、前述したような手法によって情報の入力を行うようにしてもよい。
【００２８】
ユーザ端末５００から情報が入力されると、ユーザ端末５００は、入力された顧客情報を「１」、「２」、「３」、「４」といった識別番号等の識別情報によって配置位置に基づいて所定の位置に位置づけて、入力情報画像データ３５０を生成してもよい（図５参照）。ユーザ端末５００で記憶されているデータファイル３４０の「内容」にユーザ情報が入力され、その結果として、入力領域３１０内に顧客情報が入力されることで、入力情報画像データ３５０が生成されてもよい。この態様について説明する。顧客情報が入力されると、データファイル３４０の「内容」に顧客情報が入力されることになる。データファイル３４０の「内容」と識別番号等の識別情報とは一対一で対応することになっているので、データファイル３４０の「内容」が入力されると、当該「内容」が識別情報の入力領域３１０に入力されることになる。この結果、入力情報画像データ３５０が生成されることになる。
【００２９】
ユーザ端末５００は、図５に示すように、帳票の画像データ３００に入力情報画像データ３５０を重ね合わせて統合画像データ３９０を生成してもよい。つまり、入力情報画像データ３５０が生成されると、この入力情報画像データ３５０と対応する帳票の画像データ３００とが重ね合わされて、図５に示すような一つの統合画像データ３９０が生成されてもよい。
【００３０】
図４（ａ）に示すような領域指定データ３３０がユーザ端末５００に記憶されてもよい。この領域指定データ３３０は、帳票の画像データ３００及び図４（ｂ）に示すようなデータファイル３４０に紐づけられてサーバ７００に記憶されてもよい。例えば、帳票の第一画像データ（例えば住所変更届に関する帳票の画像データ）に対して第一領域指定データ及び第一データファイルが紐づけられてサーバ７００に記憶され、帳票の第二画像データ（例えば普通預金支払いに関する帳票の画像データ）に対して第二領域指定データ及び第二データファイルが紐づけられてサーバ７００に記憶されるというように、帳票の画像データ３００、領域指定データ３３０及びデータファイル３４０の各々が一対一で対応するようにしてサーバ７００に記憶されてもよい。図４に示す態様では、領域指定データ３３０における入力領域３１０の各々に識別番号（１）〜（９）が振られており、識別番号（１）〜（９）に対応する項目がデータファイル３４０としてサーバ７００に記憶されることになる。このデータファイル３４０の各項目に対応する「内容」は顧客等のユーザに記入されることで埋まることになるが、帳票マスタにおいては「内容」は空欄のままである。データファイル３４０はＣＳＶファイル、Ｘｍｌファイル等から構成されてもよい。領域指定データ３３０にデータファイル３４０の「内容」が記入されることで、入力情報画像データ３５０が生成されることになる。
【００３１】
図１に示すように、サインを入力するためのサイン入力部５１５が設けられてもよい。当該サイン入力部５１５に顧客等のユーザがサインを行うことで、当該サインが帳票の画像データに重ねあわされて表示され、また統合画像データ３９０として記憶されるようにしてもよい。サイン入りの統合画像データ３９０は原本として取り扱われてもよい。
【００３２】
前述したようにユーザ入力情報が入力端末６００に入力されると入力端末６００でユーザ入力情報がキーボード入力情報に自動で変換されてもよい。
【００３３】
入力端末６００と管理端末２００は有線又は無線で接続可能となってもよい。入力端末６００と管理端末２００が有線又は無線で接続されると、キーボード入力情報が入力端末６００から管理端末２００に入力されてもよい。一例として、入力端末６００と管理端末２００が有線で接続可能となり、入力端末６００と管理端末２００がＵＳＢケーブル等の有線で接続されるとキーボード入力情報が管理端末２００に自動で入力されるようにしてもよい。また、入力端末６００から管理端末２００にキーボード入力情報を入力することを許可するために実行キー等が押下されるようにしてもよい。
【００３４】
ユーザ端末５００と入力端末６００は有線又は無線で接続可能となってもよい。ユーザ端末５００と入力端末６００が有線又は無線で接続されるとユーザ端末５００で入力されたユーザ入力情報が入力端末６００に入力可能となってもよい。一例として、ユーザ端末５００と入力端末６００が有線で接続可能となり、ユーザ端末５００と入力端末６００がＵＳＢケーブル等の有線で接続されるとユーザ端末５００で入力されたユーザ入力情報が入力端末６００に自動で入力されるようにしてもよい。このような態様を採用した場合には、ユーザ端末５００と入力端末６００を有線で接続するだけで、ユーザ端末５００で入力されたユーザ入力情報を自動で入力端末６００に入力できる点で有益である。
【００３５】
入力端末６００は、ユーザ端末５００で入力されたユーザ入力情報をキーボード入力情報に変換してもよい。入力端末６００は、ユーザ端末５００で入力されたユーザ入力情報を第一入力情報に変換してもよい。そして、第一入力情報を用いてキーボード入力情報を生成してもよい。
【００３６】
入力端末６００と管理端末２００とが既に接続されている場合には、ユーザ端末５００が入力端末６００に有線で接続されることで、ユーザ端末５００で入力されたユーザ入力情報が入力端末６００に自動で入力され、入力端末６００でユーザ入力情報からキーボード入力情報に変換されることでキーボード入力情報が生成され、当該キーボード入力情報が自動で管理端末２００に入力されてもよい。
【００３７】
入力端末６００は、ユーザ端末５００で選択されて入力された帳票等の書面情報と、選択された書面の記入欄に対応している入力領域３１０毎のユーザ入力情報（データファイル３４０参照）とから、キーボード入力情報を生成してもよい。一例として口座開設を行う場合を用いて説明する。この場合には、口座開設のための帳票が選択されたことを示す書面情報（例えば「００１」という数値情報）と、口座開設のために入力される住所、氏名等のユーザ入力情報とによってキーボード入力情報が生成されてもよい。より具体的には、ユーザ端末５００から入力端末６００に対して、口座開設帳票を示す「００１」という情報と切り替えを示す「Tab」等の切替情報とが入力され、「住所」である「○○」という情報と「Tab」等の切替情報とが入力され、「氏名」である「△△」という情報と「Tab」等の切替情報とが入力されることで、どのような帳票が選択され、データファイル３４０等における各項目にどのような情報が入力されたかを入力端末６００で判断できる。入力端末６００は、各情報を対応するキーボード入力情報に変換する。前述した例であれば、入力端末６００は、「００１」、「Tab」等の切替情報、「○○」、「Tab」等の切替情報、「△△」及び「Tab」等の切替情報の各々に対応するキーボード入力情報を生成し、管理端末２００に入力する。
【００３８】
図６に示すように、入力端末６００は、ユーザ端末５００で入力されたユーザ入力情報を第一入力情報に変換し、第一入力情報を第二入力情報に変換し、第二入力情報を用いてキーボード入力情報を生成してもよい。この場合には、図１に示すように、入力端末６００は、ユーザ入力情報を第一入力情報に変換する第一変換部６１０と、第一入力情報を第二入力情報に変換する第二変換部６２０とを有してもよい。
【００３９】
一例として、第一入力情報はＳ−ＪＩＳ（シフトジス）からなり、第二入力情報はＡＳＣＩＩ（アスキーコード）からなってもよい。例えばユーザ入力情報が「山」という漢字であれば、図７に示すように、入力端末６００で「英字/数字/ひらがな/カタカナ/漢字」のうち「漢字」であるという情報が抽出されるとともに「８Ｅ５２」というＳ−ＪＩＳコードに変換される。次に、入力端末６００から管理端末２００に対して、「半角／全角キー」に対応する情報と、「８」、「Ｅ」、「５」、「２」と変換キー（Ｆ５）という情報がＡＳＣＩＩコードとして入力されることで、管理端末２００において「山」という漢字が再現されるようになってもよい。
【００４０】
図８に示すような態様を採用してもよい。図８に示す態様では、入力端末６００がIME等から読み仮名を取得し、再変換候補で対象となる漢字（図８に示す態様では「山」）が何番目（図８に示す態様では「１番目」）にあるかを取得する。そして、入力端末６００は管理端末２００に対して「半角／全角キー」に関する情報を入力することで「ひらがな入力」を可能とし、さらに読み仮名として「yama」に対応するキーボード入力情報を入力し、「変換キー」に対応するキーボード入力情報を入力し、候補リストから「１番目」を選択するための情報を入力する。この結果、管理端末２００では「山」という漢字が再現されるようになってもよい。
【００４１】
現時点の金融機関の運用では顧客が印鑑を押すことが想定されており、仮に帳票の記入欄にタッチペン等を用いて記入していったとしても最終的には紙に印刷して印鑑を押して金融機関の窓口担当者に提出することが想定されている。しかしながら、例えば電子署名やサインをユーザ表示操作部５５０、ユーザ操作部５１０等で入力できるようにしたり、図１に示すような印影認識部５１９を用いて印鑑の印影に関する情報を取得できるようにしたりしてもよい。この場合には、当該印影に関する情報を入力情報画像データ３５０又はデータファイル３４０に組み入れる又は紐づけるようにすることで、印鑑を押して金融機関の窓口担当者に提出する必要がなくなる。
【００４２】
図９に示すように、ユーザ端末５００とは別に入力端末６００に接続される接続用端末５９０が設けられてもよい。この態様を採用する場合には、例えばユーザ端末５００でユーザが入力したユーザ入力情報が一度サーバ７００に記録され、当該サーバ７００に記録されたユーザ入力情報が接続用端末５９０に読み出されてもよい。そして、接続用端末５９０に読み出されたユーザ入力情報が入力端末６００でキーボード入力情報に変換されて管理端末２００に打ち込まれてもよい。接続用端末５９０にはＲＰＡ（Robotic Process Automation）が実装されてもよい。この場合には、サーバ７００から読み出されたユーザ入力情報が自動で入力端末６００に入力され、当該入力端末６００でユーザ入力情報がキーボード入力情報に変換されて管理端末２００に打ち込まれてもよい。なお、接続用端末５９０はタブレットであってもよいしＰＣ等からなってもよい。
【００４３】
《効果》
次に、上述した構成からなる本実施の形態による効果であって、未だ説明していないものを中心に説明する。
【００４４】
本実施の形態において、ユーザが情報を入力できるユーザ端末５００で入力されたユーザ入力情報をキーボード入力情報に変換し、キーボード入力情報をホスト装置１と通信可能な管理端末２００に入力する態様を採用した場合には、既存のシステムを活用してユーザ情報の入力を自動化することができる。前述したようにホスト装置１に端末を新たに接続する場合には、当該端末による影響を検証するために長期間の検証と高額な費用が必要となる。特に金融機関の基幹システムでは預金情報等の金銭に関する情報が取り扱われていることから、端末を新たに接続する場合には、検証のために、１年半以上の期間と数十億単位の費用が必要となることがある。この点、本態様を採用した場合には、入力端末６００においてユーザ入力情報がキーボード入力情報に変換され、当該キーボード入力情報が既に基幹システム等のホスト装置１に接続されている管理端末２００に入力される。そなわち、入力端末６００において余分な情報がフィルタリングされ、ユーザ端末５００から管理端末２００に情報が入力されることから、長期間にわたる検証を行うことなく導入することができ、短期間かつ低コストでユーザ情報の入力を自動化することができる。
【００４５】
また、このような態様を採用した場合には、ユーザ端末５００でユーザが入力した情報そのものがキーボード入力情報に変換されて管理端末２００に打ち込まれることから、従来のようにテラー等の金融機関の従業員による打ち間違いのリスクがなくなる。このため、テラーの上司等によるダブルチェックを行う必要もなくなり、その分、人件費を削減することも期待できる。
【００４６】
ユーザ端末５００と入力端末６００が接続されるとユーザ端末５００で入力されたユーザ入力情報が入力端末６００に自動で入力され、ユーザ入力情報が入力端末６００に入力されると入力端末６００でユーザ入力情報がキーボード入力情報に自動で変換される態様を採用した場合には、顧客等のユーザがデータを入力したユーザ端末５００を入力端末６００に接続するだけでキーボード入力情報が自動で生成される点で有益である。
【００４７】
ユーザ端末５００と入力端末６００が有線で接続可能となり、ユーザ端末５００と入力端末６００がＵＳＢケーブル等の有線で接続されるとユーザ端末５００で入力されたユーザ入力情報が入力端末６００に自動で入力される態様を採用した場合には、ユーザ端末５００と入力端末６００を有線で接続するだけで、ユーザ端末５００で入力されたユーザ入力情報を自動で入力端末６００に入力できる点で有益である。
【００４８】
入力端末６００と管理端末２００とが既に接続されており、ユーザ端末５００と入力端末６００が接続されると、ユーザ端末５００で入力されたユーザ入力情報が入力端末６００に自動で入力されてキーボード入力情報に自動で変換され、当該キーボード入力情報が管理端末２００に自動で入力され、その結果、ホスト装置１に当該情報が入力される態様を採用した場合には、ユーザ端末５００を入力端末６００に接続するだけでホスト装置１への入力が完了する点で有益である。ユーザ端末５００が多数存在し、ユーザからユーザ端末５００を受け取ったテラーが、当該ユーザ端末５００を入力端末６００に接続する運用を採用することが考えられる。このような運用で上記態様を採用した場合には、テラーがユーザ端末５００と入力端末６００とをＵＳＢ等で接続するだけでホスト装置１への入力作業が自動で終了することから、テラーでの作業工程を削減することができる。
【００４９】
前述したホスト装置１への自動入力は、ホスト装置１へユーザ情報を入力するためのソフトが管理端末２００で起動している場合にだけ行われてもよい。このような態様を採用した場合には、テラー等の作業者がユーザ情報の入力を行おうとしたときだけで自動入力を行うようにすることができる。但し、このような態様に限られることはなく、ユーザ端末５００と入力端末６００が接続されると、管理端末２００でホスト装置１へユーザ情報を入力するためのソフトが自動で起動され、ユーザ端末５００で入力されたユーザ入力情報がキーボード入力情報として管理端末２００に入力され、その結果として、ホスト装置１に当該情報が入力されて記憶されてもよい。このような態様を採用した場合には、テラー等の作業者はユーザ端末５００と入力端末６００を接続するだけでユーザ情報の自動入力作業が完了する点で有益である。
【００５０】
上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００５１】
１        ホスト装置
２００    管理端末
５００    ユーザ端末
５１０    ユーザ操作部
５３０    ユーザ表示部
６００    入力端末
【図１】
2019204308.tif 000003
【図２】
2019204308.tif 000004
【図３】
2019204308.tif 000005
【図４】
2019204308.tif 000006
【図５】
2019204308.tif 000007
【図６】
2019204308.tif 000008
【図７】
2019204308.tif 000009
【図８】
2019204308.tif 000010
【図９】
2019204308.tif 000011
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
ユーザが文字情報を手動又は音声で入力可能なユーザ端末と、
ホスト装置と通信可能な管理端末と、
前記ユーザ端末で入力されたユーザ入力情報としての文字情報をキーボード入力情報に変換し、前記キーボード入力情報を前記管理端末に入力する入力端末と、
を備え、
前記入力端末は前記管理端末のキーボードには接続されていない情報処理装置。
【請求項２】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換される請求項１に記載の情報処理装置。
【請求項３】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力される請求項１又は２のいずれかに記載の情報処理装置。
【請求項４】
前記ユーザ端末と前記入力端末が接続されると前記ユーザ端末で入力された前記ユーザ入力情報が前記入力端末に自動で入力され、前記ユーザ入力情報が前記入力端末に入力されると前記入力端末で前記ユーザ入力情報が前記キーボード入力情報に自動で変換され、前記キーボード入力情報が前記管理端末に自動で入力され、前記管理端末に前記キーボード入力情報が入力されると前記管理端末が前記ホスト端末に前記キーボード入力情報を自動で入力する請求項１乃至３のいずれか１項に記載の情報処理装置。
【請求項５】
前記入力端末は、前記ユーザ端末で入力された前記ユーザ入力情報を第一入力情報に変換し、前記第一入力情報を用いてキーボード入力情報を生成する請求項１乃至４のいずれか１項に記載の情報処理装置。
【請求項６】
前記入力端末は、前記ユーザ端末で入力された前記ユーザ入力情報を第一入力情報に変換し、前記第一入力情報を第二入力情報に変換し、前記第二入力情報を用いてキーボード入力情報を生成する請求項１乃至４のいずれか１項に記載の情報処理装置。
【請求項７】
前記第一入力情報はＳ−ＪＩＳからなり、
前記第二入力情報はＡＳＣＩＩからなる請求項６に記載の情報処理装置。
【請求項８】
前記入力端末は、前記ユーザ端末で入力された書面に関する書面情報と、前記書面の記入欄に対応している入力領域におけるユーザ入力情報とから、前記キーボード入力情報を生成する請求項１乃至７のいずれか１項に記載の情報処理装置。
【請求項９】
ユーザ端末で入力されたユーザ入力情報を受け付け、当該ユーザ入力情報をキーボード入力情報に変換し、前記キーボード入力情報をホスト装置と通信可能な管理端末に入力する入力端末を備える情報処理装置。